(57)【要約】【課題】測定者による測定が容易な体温計を提供する。【解決手段】温度検出素子により検出された温度を用いて被検者の体温を測定する体温計であって、被検者と接触して被検者の体温を伝達する第１の接触部と温度検出素子とを有するプローブ部と、被検者と少なくとも一部が接触して被検者の体温を伝達する第２の接触部と、第２の接触部と隣接して設けられた断熱材とを有しておりプローブ部を支持するプローブ支持部と、プローブ支持部が有する断熱材に対して測定者の指を装着するための装着機構とを備え、第１の接触部および第２の接触部は温度検出素子を囲むように形成されている。【選択図】  図３
2014062792.tif 000002
【特許請求の範囲】
【請求項１】
温度検出素子により検出された温度を用いて被検者の体温を測定する体温計であって、
前記被検者と接触して前記被検者の体温を伝達する第１の接触部と、前記温度検出素子とを有するプローブ部と、
前記被検者と少なくとも一部が接触して前記被検者の体温を伝達する第２の接触部と、前記第２の接触部と隣接して設けられた断熱材とを有しており、前記プローブ部を支持するプローブ支持部と、
前記プローブ支持部が有する前記断熱材に対して測定者の指を装着するための装着機構と、を備え、
前記第１の接触部および前記第２の接触部は前記温度検出素子を囲むように形成されていることを特徴とする体温計。
【請求項２】
前記第１の接触部と前記第２の接触部の前記少なくとも一部とが滑らかに形成されていることを特徴とする請求項１に記載の体温計。
【請求項３】
前記第１の接触部および前記第２の接触部は一体形成されていることを特徴とする請求項１または２に記載の体温計。
【請求項４】
前記第１の接触部および前記第２の接触部は同一の素材で形成されていることを特徴とする請求項１乃至３の何れか１項に記載の体温計。
【請求項５】
前記素材は金属部材であることを特徴とする請求項４に記載の体温計。
【請求項６】
前記金属部材はＳＵＳ材であることを特徴とする請求項５に記載の体温計。
【請求項７】
前記プローブ部は、略半球形状を有することを特徴とする請求項１乃至６の何れか１項に記載の体温計。
【請求項８】
前記断熱材はスタイロフォームであることを特徴とする請求項１乃至７の何れか１項に記載の体温計。
【請求項９】
温度検出素子により検出された温度を用いて被検者の体温を測定する体温計であって、
前記被検者と接触して前記被検者の体温を伝達する接触部と、前記温度検出素子とを有するプローブ部と、
前記接触部と隣接して設けられた断熱材を有しており、前記プローブ部を支持するプローブ支持部と、
前記プローブ支持部が有する前記断熱材に対して測定者の指を装着するための装着機構と、を備え、
前記接触部は前記温度検出素子を囲むように形成されていることを特徴とする体温計。
【発明の詳細な説明】
【技術分野】
【０００１】
本発明は、被検者の体温を測定する体温計に関し、特に乳幼児の体温を測定する体温計に関する。
【背景技術】
【０００２】
従来より、被検者の体温を測定する体温計として、温度検出素子（サーミスタ）を用いて温度計測値を取得する電子体温計が知られている。
【０００３】
特許文献１では、一般的にプラスチックから成る樹脂の筐体と、その尾部に取り付けられる筐体キャップとにより構成され、筐体の先端部に温度検出部が形成された電子体温計が開示されている。
【先行技術文献】
【特許文献】
【０００４】
【特許文献１】特開平０５−１９６５０８号公報
【発明の概要】
【発明が解決しようとする課題】
【０００５】
しかしながら、特許文献１に記載の体温計では、例えば乳幼児のように、一定時間静止させておくことが困難であり、かつ測定者による支えなどが必要な被検者の場合には、測定が困難となる。また、測定者は被験者の腋窩に温度検出部を適切に配置する必要があり、温度検出部が腋窩から外れると測定誤差が生じてしまう。
【０００６】
上記の課題に鑑み、本発明は、測定誤差が少なく、測定者による測定が容易な体温計を提供することを目的とする。
【課題を解決するための手段】
【０００７】
上記の目的を達成する本発明に係る体温計は、
温度検出素子により検出された温度を用いて被検者の体温を測定する体温計であって、
前記被検者と接触して前記被検者の体温を伝達する第１の接触部と、前記温度検出素子とを有するプローブ部と、
前記被検者と少なくとも一部が接触して前記被検者の体温を伝達する第２の接触部と、前記第２の接触部と隣接して設けられた断熱材とを有しており、前記プローブ部を支持するプローブ支持部と、
前記プローブ支持部が有する前記断熱材に対して測定者の指を装着するための装着機構と、を備え、
前記第１の接触部および前記第２の接触部は前記温度検出素子を囲むように形成されていることを特徴とする。
【０００８】
また、上記の目的を達成する本発明に係る別の体温計は、
温度検出素子により検出された温度を用いて被検者の体温を測定する体温計であって、
前記被検者と接触して前記被検者の体温を伝達する接触部と、前記温度検出素子とを有するプローブ部と、
前記接触部と隣接して設けられた断熱材を有しており、前記プローブ部を支持するプローブ支持部と、
前記プローブ支持部が有する前記断熱材に対して測定者の指を装着するための装着機構と、を備え、
前記接触部は前記温度検出素子を囲むように形成されていることを特徴とする。
【発明の効果】
【０００９】
本発明によれば、測定誤差が少なく、測定者による測定が容易な体温計を提供することができる。
【図面の簡単な説明】
【００１０】
【図１】本発明の第１実施形態に係る体温計１０の外観構成を示す図である。
【図２】本発明の第１実施形態に係る体温計１０を用いて体温測定を行う様子を示した図である。
【図３】本発明の第１実施形態に係る体温計１０が備えるプローブ部１０１およびプローブ支持部１０２の構成を示す図である。
【図４】本発明の第１実施形態に係る体温計１０全体の機能構成を示す図である。
【図５】本発明の第１実施形態に係る体温計１０が実施する体温測定処理の手順を示すフローチャートである。
【図６】本発明の第１実施形態に係る体温計１０が備えるプローブ部１０１およびプローブ支持部１０２の周辺の温度分布シミュレーション結果を示す図である。
【図７】本発明の第１実施形態に係る体温計１０が備えるプローブ部１０１およびプローブ支持部１０２の構成の変形例を示す図である。
【図８】本発明の第２実施形態に係る体温計８０の外観構成を示す図である。
【図９】本発明の第３実施形態に係る体温計９０の外観構成を示す図である。
【発明を実施するための形態】
【００１１】
以下、添付の図面を参照して、本発明の実施形態を説明する。
【００１２】
［第１実施形態］
１．体温計の外観構成
まず図１を参照して、本発明の第１実施形態に係る体温計１０の外観構成について説明する。体温計１０は、先端部１１と本体部１２とが電極リード１３で接続されて形成されている。
【００１３】
先端部１１は、プローブ部１０１と、プローブ支持部１０２と、粘着材１０３とを備えている。
【００１４】
プローブ部１０１は、被検者の温度測定対象部位（例えば、被検者の腋窩などの体表面）と接触し、接触先の温度を測定する。プローブ部１０１は、先端の直径寸法が約３ｍｍの半球形状となっている。
【００１５】
プローブ支持部１０２は、一方の面においてプローブ部１０１を支持する。また、プローブ部１０１を支持する面とは反対側の面に、測定者の指の腹（指紋がある部分。手指末節部の手掌面側の部分）が接触するように構成されている。これにより、プローブ部１０１の先端が被検者の体表面に接触する感覚を、測定者は指先で敏感に感じ取ることが可能となる。なお、図１の例ではプローブ支持部１０２の測定者の指の腹を載置する面が平面であるが、本発明はこれに限定されず、中央がくぼんだ曲面により形成してもよい。この場合、指の形状に一致することとなり、体温計１０装着時の安定性がより向上することとなる。
【００１６】
また、プローブ支持部１０２の測定者の指の腹を載置する面には、粘着材１０３を貼り付け可能となっている。この粘着材１０３は、例えば使い捨てタイプの両面粘着テープであり、測定者は体温測定を行う際に両面粘着テープを面上に貼り付けて、指をプローブ支持部１０２に固定する。すなわち、粘着材１０３は測定者の指をプローブ支持部１０２へ装着するための装着機構として機能する。
【００１７】
一方、本体部１２は、表示部２０１と、電源スイッチ２０２と、スピーカ２０３と、ＬＥＤ素子２０４とを備えている。
【００１８】
表示部２０１は、例えば液晶ディスプレイであり、先端部１１において接触した被検者の温度を検出し、本体部１２により測定された被検者の体温を表示する。電源スイッチ２０２は、測定者の押圧操作により体温計１０の電源のＯＮ／ＯＦＦを制御することができる。スピーカ２０３は、体温測定が終了した場合等に、音声を出力して報知する。ＬＥＤ素子２０４は、体温計１０の様々な状態に対応して点灯・点滅する。
【００１９】
本体部１２は不図示のバンド機構などにより測定者の手首に装着される。ただし、必ずしも手首に装着される必要はなく、測定者の身体上の他の位置に装着されてもよい。
【００２０】
また、電極リード１３は、測定者の手のサイズに対応した長さを有するように、リール機構を設けて伸縮可能に構成されてもよい。
【００２１】
２．体温計１０を用いた体温測定の様子
次に、図２を参照して、本発明の第１実施形態に係る体温計１０を測定者が装着して、被検者の体温測定を行う様子を説明する。図２に示すように、体温計１０を測定者の右手の人差し指に装着した場合、右手人差し指以外の指は自由に使うことができる。このため、測定者は、被検者を両手（左手のすべての指と、右手の人差し指以外の指と）で、押えることができる。
【００２２】
このように、本実施形態に係る体温計１０によれば、測定に際して、被検者を両手で押えることができるため、安定した状態（被検者が静止した状態）での体温測定が可能となり、測定誤差の発生を低減させることが可能となる。
【００２３】
また、本実施形態に係る体温計１０では、先端部１１と本体部１２とが電極リード１３を介して接続されており、被検者と接触する箇所が先端部１１のみとなっている。そのため、被検者の腋窩への挿入部分を小型化することができ、被検者の不快感を低減することが可能となる。特に、被検者が乳幼児である場合、被検者の腋窩に一定時間体温計を静止させやすくなる。
【００２４】
３．プローブ部１０１およびプローブ支持部１０２の構成
次に、図３を参照して、第１実施形態に係る体温計１０が備えるプローブ部１０１およびプローブ支持部１０２の構成について詳細に説明する。本実施形態では、被検者と接触して被検者の体温を伝達する第１の接触部（後述の接触部３０１ａ）と、被検者と少なくとも一部が接触して被検者の体温を伝達する第２の接触部（後述の接触部３０１ｂ）とが、被検者の体温を算出するための温度検出素子（後述の温度検出素子３０２）を囲むように形成されている。
【００２５】
プローブ部１０１は、接触部３０１ａと、温度検出素子３０２と、ポッティング材３０３とを備えており、全体として略半球状に形成されている。また、プローブ支持部１０２は、接触部３０１ｂと、断熱材３０４とを備えている。そして、電極リード１３が、温度検出素子３０２から接触部３０１ｂ、断熱材３０４を介するように配置されている。
【００２６】
接触部３０１ａおよび接触部３０１ｂの少なくとも一部は、被検者と接触する部位であり、良熱伝導体である金属部材で形成される。この接触部３０１ａおよび接触部３０１ｂは、同一の金属部材あるいは熱伝導性が近い値を示す金属部材で形成される。これにより、腋窩温度が温度検出素子３０２へ伝達されやすくなり、精度の高い温度検出が可能となる。金属部材としては、例えばアルミ材、ＳＵＳ（Steel Use Stainless）材を使用することができる。本実施形態では、接触部３０１ａおよび接触部３０１ｂは同一の素材（金属部材（ＳＵＳ（Steel Use Stainless）材））で形成されているものとする。温度検出素子３０２は、例えばサーミスタであって、環境温度を検出する。
【００２７】
温度検出素子３０２には、電極リード１３が取付けられており、温度検出素子３０２の抵抗値の変化を捉えることが可能となる。ポッティング材３０３は、例えばエポキシ樹脂である。エポキシ樹脂とは、高分子内に残存させたエポキシ基で架橋ネットワーク化させることで硬化させることが可能な熱硬化性樹脂の総称である。架橋ネットワーク化前のプレポリマーと硬化剤を混合して熱硬化処理を行うことで所望の形状に固定することができる。温度検出素子３０２を半球内の所定位置に配置した後にポッティング材を注入し、加熱してポッティング材を硬化させることによって温度検出素子３０２を半球内の所定位置に固定することができる。ただし、必ずしもポッティング材３０３を用いる必要はなく、他の素材を用いてもよい。
【００２８】
断熱材３０４は、測定者の指の熱が温度検出素子３０２へ伝達するのを防止する断熱材であり、例えばスタイロフォームを用いることができる。スタイロフォームとは、押出発泡ポリスチレンフォームの断熱材・保温材である。
【００２９】
本実施形態では、接触部３０１ａの厚さが約０．２ｍｍ、半球の直径が約３ｍｍ、接触部３０１ｂの厚さが約０．５ｍｍ、断熱材３０４の厚さが約１．０ｍｍである。また、接触部３０１ｂは、被検者との接触面３０６において、約４ｍｍ四方の正方形の形状を有している。すなわち、正方形形状の部材上から半球が突出するように構成されている。ただし、接触部３０１ｂの接触面３０６は正方形形状に限定されるものではなく、半径約２ｍｍ〜３ｍｍ程度の円形の形状であってもよい。また、半球の半径と同じ半径を有する円形の形状であってもよい。温度検出素子３０２を囲むように金属部材が設けられていれば、何れの形状、サイズ、厚さであってもよい。さらに、プローブ支持部１０２の接触面３０６の全てを接触部３０１ｂで構成される必要はなく、一部の領域のみ接触部３０１ｂで構成されてもよい。
【００３０】
また、本実施形態では、接触部３０１ａおよび接触部３０１ｂを構成するＳＵＳ（Steel Use Stainless）材は、例えばＳＵＳ３０４であり、熱伝導率１６[w/(m・k)]、比熱５００[j/(kg・K)]、密度８０００[kg/m3]である。ポッティング材３０３を構成するエポキシ樹脂は、熱伝導率０．１８８[w/(m・k)]、比熱１１００[j/(kg・K)]、密度１１００[kg/m3]である。断熱材３０４を構成するスタイロフォームは、熱伝導率０．０２４[w/(m・k)]、比熱１１００[j/(kg・K)]、密度２５[kg/m3]である。
【００３１】
なお、図３における各矢印は、プローブ部１０１およびプローブ支持部１０２が被検者に接触した際の熱の伝達の方向を示している。本実施形態のように、温度検出素子３０２を囲むように接触部３０１ａおよび接触部３０１ｂを形成することで、温度検出素子３０２の周囲から均一に熱が伝導するため、温度検出素子３０２の測定誤差を低減することができ、体温計１０の検出精度を向上することができる。
【００３２】
４．体温計１０の機能構成
次に、図４を参照して、本発明の第１実施形態に係る体温計１０の機能構成について説明する。なお、図４に示す構成または部品のうち、既に説明済みの構成または部品については同様の参照番号を附すこととし、ここでは詳細な説明は省略する。
【００３３】
図４に示すように、プローブ部１０１が有する温度検出素子３０２は、電極リード１３を介して、本体部１２の実装基板上の増幅部４０５に接続されている。実装基板上に配された制御部４０１には、ＣＰＵ４０２と記憶素子（記憶媒体）であるＲＡＭ４０３及びＲＯＭ４０４とが配されている。制御部４０１は、記憶素子（記憶媒体）に格納されたプログラムを読み出して実行することにより体温計１０の動作を制御し、温度検出素子３０２の抵抗変化に基づいて、被検者の体温の算出を行う。
【００３４】
また、制御部４０１には、表示部２０１と、電源スイッチ２０２と、スピーカ２０３と、ＬＥＤ素子２０４とがそれぞれ接続されている。表示部２０１は、制御部４０１により算出された被検者の体温を表示する。また、表示部２０１は、接触部３０１ａ、３０１ｂが被験者の腋窩と接触し、温度検出素子３０２の抵抗値が変化した場合、測定モードに移行したことを示す絵文字等のキャラクタを表示する。スピーカ２０３は、被検者の体温の測定が完了した場合などに、動作に対応する音声を出力する。ＬＥＤ素子２０４は、例えば測定が開始されると緑色に点灯し、被検者の体温の測定が完了すると赤色に点灯する。
【００３５】
なお、制御部４０１は、電源スイッチ２０２が押圧操作されることにより、電源部４０６からの電力供給を受けて動作するよう構成されているものとする。電源部４０６は例えばボタン電池である。
【００３６】
５．体温測定処理の流れ
図５のフローチャートを参照して、本発明の第１実施形態に係る体温計１０が実施する体温測定処理の手順を説明する。電源スイッチ２０２が押圧操作されると、体温測定処理が開始される。
【００３７】
ステップＳ５０１において、制御部４０１は、温度検出素子３０２の抵抗値が変化したか否かを判定する。一定値（α）以上の抵抗変化を検出した場合（Ｓ５０１；ＹＥＳ）、ステップＳ５０２へ進む。一方、抵抗値の変化が少ない（抵抗変化＜α）場合（Ｓ５０１；ＮＯ）、抵抗値がα以上変化するまで待機する。なお、電源スイッチ２０２が押圧操作されてから所定時間経過しても温度検出素子３０２の抵抗値がα以上変化しない場合は、自動的に電源をＯＦＦにしてもよい。
【００３８】
ステップＳ５０２において、制御部４０１は、温度検出素子３０２の抵抗値を取得し、ステップＳ５０３において、温度検出素子３０２の抵抗値に基づいて被検者の体温を算出する。また、算出された被検者の体温を表示部２０１に表示する。
【００３９】
ステップＳ５０４において、制御部４０１は体温算出時間（Ｓ５０１；Ｙｅｓ以降の時間）が一定時間（β）を超えたか否かを判定する。体温算出時間がβ以上経過した場合（Ｓ５０４；Ｙｅｓ）、ステップＳ５０５へ進む。一方、体温算出時間がβ以下の場合（Ｓ５０４；Ｎｏ）、Ｓ５０２に戻る。ステップＳ５０５において、制御部４０１は、被検者の体温を算出する処理が完了したことを報知するために、ＬＥＤ素子２０４を赤色に点灯させる。また、スピーカ２０３より音声を出力する。以上により体温測定処理が終了する。
【００４０】
６．プローブ部１０１およびプローブ支持部１０２の周辺の温度分布のシミュレーション
図６は、図３を参照して説明したプローブ部１０１およびプローブ支持部１０２の構成を有する体温計１０を用いて、図５のフローチャートを参照して説明した体温測定処理を実行した場合の、プローブ部１０１およびプローブ支持部１０２の周辺の温度分布のシミュレーション結果を示している。
【００４１】
ここでは、仮に測定者の指が４０度の温度を有し、被検者（不図示）が３５度の温度を有する場合の被検者の体温測定を想定している。
【００４２】
図６から分かるように、測定者の指の温度は温度検出素子３０２へ伝達しておらず、被検者の温度である３５度がプローブ部１０１全体およびプローブ支持部１０２の接触部３０１ｂに均一に分布しており、３５度で平衡状態となっていることがわかる。すなわち、本実施形態に係るプローブ部１０１およびプローブ支持部１０２の構成によって、測定者の指の温度に影響されることなく、被検者の体温測定を精度よく行うことが可能となっている。
【００４３】
なお、本実施形態では、接触部３０１ａだけでなく接触部３０１ｂについても金属部材で形成されているものとして説明を行った。ここで、図３において仮に接触部３０１ｂについては断熱材３０４と同じ素材で形成し、接触部３０１ａのみ金属部材で形成した場合であっても、測定者の指の熱が温度検出素子３０２へ伝達することを防止できる。しかしながら、被検者の体温は接触部３０１ａおよび接触部３０１ｂの両方を介して温度検出素子３０２へ伝達してくるため、接触部３０１ａから温度検出素子３０２への熱伝導と、接触部３０１ｂから温度検出素子３０２への熱伝導とに差異が生じ、温度検出素子３０２の周囲から伝達される温度にムラが生じるため、体温測定の精度に影響する。
【００４４】
したがって、本実施形態のように接触部３０１ｂも接触部３０１ａと同様に金属部材で形成することによって、周囲のあらゆる方向から温度検出素子３０２への温度の伝達をより均一にすることができ、より高精度に体温測定を行うことが可能になる。
【００４５】
以上説明したように、本実施形態に係る体温計１０においては、プローブ部１０１の接触部３０１ａを金属部材で構成し、プローブ支持部１０２の接触部３０１ｂを接触部３０１ａと同一の金属部材あるいは熱伝導性が近い値を示す金属部材で構成することで、温度検出素子３０２の周囲を金属部材で囲むように構成した。さらに、接触部３０１ｂと測定者の指とを隔てるために、接触部３０１ｂと隣接して断熱材３０４を設けるように構成した。
【００４６】
本実施形態によれば、上記の構成によって、断熱材のため測定者の指の熱が温度検出素子３０２へ伝達することを防止でき、さらには周囲から温度検出素子３０２への均一な温度伝達が可能となるため、被検者の体温を高精度に測定することができる。また、測定者の指に体温計１０を装着することができるため、被検者が乳幼児などの一定時間静止させておくことが困難な対象であっても、体温計１０が装着された指以外の他の指を用いて被検者を保持することができ、体温測定が容易となる。
【００４７】
このように、被検者が乳幼児であっても、測定者による体温測定が容易であり、かつ測定誤差を生じにくい体温計を提供することができる。
【００４８】
７．プローブ部１０１およびプローブ支持部１０２の構成の変形例
図７（ａ）および図７（ｂ）を参照して、第１実施形態に係る体温計１０が備えるプローブ部１０１およびプローブ支持部１０２の構成の変形例について説明する。
【００４９】
図７（ａ）は、プローブ部１０１の形状が半球ではなく、接触部７０１ａが半球の根元部分において接触部３０１ｂの少なくとも一部と滑らかに形成されている例を示す。被検者と接触部７０１ａとが接触する際に、被検者の体表面と、より密着して接触することができ、被検者の体温をより正確に温度検出素子３０２へ伝達することができる。したがって、被検者の体温測定の精度をより向上することができる。また、接触部７０１ａと接触部３０１ｂとは滑らかに一体形成されていてもよい。
【００５０】
図７（ｂ）は、プローブ部１０１の形状が半球ではなく、接触部７１１ａが半球の根元部分において滑らかに形成されており、さらに、接触部３０１ｂを設けずに、接触部７１１ａを温度検出素子３０２の下方まで拡張して、接触部７１１ａの一部分が接触部３０１ｂとしての役割を果たすように形成されている例を示す。図７（ｂ）の構成によれば、図３や図７（ａ）ではプローブ支持部１０２の厚さとして接触部３０１ｂおよび断熱材３０４の両方の厚さが必要であったのに対して、接触部３０１ｂを設けずに済むため、プローブ支持部１０２の厚さをより薄くすることができる。そのため、体温計１０の先端部１１をより小型化することができる。なお、接触部７１１ａが半球の根元部分において滑らかに形成されていなくてもよく、図３で説明した構成と同様に根元部分まで半球状であってもよい。
【００５１】
なお、プローブ部１０１およびプローブ支持部１０２の構成は、図３および図７を参照し説明した構成に限定されない。温度検出素子３０２を囲むように接触部（金属部材）が配置されており、温度検出素子３０２の周囲から均一に被検者の体温を伝達することができれば、何れの形状であってもよい。なお、必ずしも温度検出素子３０２の周囲全てを金属部材で囲む必要はなく、例えば温度検出素子３０２から延びる電極リード１３が存在する付近など、一部は金属部材以外の部材で構成されていてもよい。
【００５２】
本実施形態に係るプローブ部１０１およびプローブ支持部１０２の構成を第１実施形態の体温計１０に適用することで、被検者が乳幼児であっても、測定者による体温測定が容易であり、かつ測定誤差を生じにくい体温計を提供することができる。
【００５３】
［第２実施形態］
図８（ａ）および図８（ｂ）を参照して、本発明の第２実施形態に係る体温計８０の外観構成について説明する。体温計８０の基本構成は第１実施形態で説明した構成と同様であり、第１実施形態と同じ構成要素については同じ参照符号を付している。
【００５４】
図８（ａ）において、体温計８０は、先端部１１と本体部１２とが電極リード１３で接続されて形成されている。
【００５５】
先端部１１は、プローブ部１０１と、プローブ支持部１０２とを備えている。プローブ部１０１は、被検者の温度測定対象部位（例えば、被検者の腋窩などの体表面）と接触し、接触先の温度を測定する。プローブ部１０１は、先端の直径寸法が約３ｍｍの半球形状となっている。プローブ支持部１０２は、一方の面においてプローブ部１０１を支持する。また、プローブ部１０１を支持する面とは反対側の面には、手袋１４の指先部分が接着固定されており、手袋１４を装着した測定者の指の腹（指紋がある部分。手指末節部の手掌面側の部分）が接触するように構成されている。これにより、プローブ部１０１の先端が被検者の体表面に接触する感覚を、測定者は指先で敏感に感じ取ることが可能となる。
【００５６】
第１実施形態において図１を参照して説明した構成とは異なり、粘着材の代わりに手袋１４を用いている。すなわち、プローブ支持部１０２が接着された手袋１４は測定者の指をプローブ支持部１０２へ装着するための装着機構として機能する。
【００５７】
一方、第１実施形態と同様に本体部１２は、表示部２０１と、電源スイッチ２０２と、スピーカ２０３と、ＬＥＤ素子２０４とを備えている。各構成要素の機能は第１実施形態と同様である。
【００５８】
また、図８（ｂ）においては、手袋１４の代わりに指サック１５とプローブ支持部１０２とが接着される構成である。指サック１５を用いることで、測定者の指への先端部１１の装着がより容易となる。
【００５９】
以上説明したように、本実施形態では、第１実施形態とは異なり、粘着材の代わりにプローブ支持部１０２が接着された手袋１４または指サック１５を用いている。これにより、測定者は、手袋１４または指サック１５を測定者の手に装着することで被検者の体温を測定可能になる。使い捨てタイプの粘着材を用いる場合に比べて、資源を浪費することなく、第１実施形態で説明した体温計と同様の効果を得ることができる。
【００６０】
［第３実施形態］
図９を参照して、本発明の第３実施形態に係る体温計９０の外観構成について説明する。体温計９０の基本構成は第１実施形態で説明した構成と同様であり、第１実施形態と同じ構成要素については同じ参照符号を付している。
【００６１】
図９において、体温計９０は、先端部９１と本体部１２とが電極リード１３で接続されて形成されている。
【００６２】
先端部１１は、プローブ部１０１と、プローブ支持部１０２と、装着帯９０１と、装着リング９０２と、装着帯９０３とを備えている。プローブ部１０１は、被検者の温度測定対象部位（例えば、被検者の腋窩などの体表面）と接触し、接触先の温度を測定する。プローブ部１０１は、先端の直径寸法が約３ｍｍの半球形状となっている。プローブ支持部１０２は、一方の面においてプローブ部１０１を支持する。また、プローブ部１０１を支持する面とは反対側の面は、測定者の指の腹（指紋がある部分。手指末節部の手掌面側の部分）を載置するように構成されている。これにより、プローブ部１０１の先端が被検者の体表面に接触する感覚を、測定者は指先で敏感に感じ取ることが可能となる。
【００６３】
第１実施形態において図１を参照して説明した構成とは異なり、粘着材の代わりに装着帯９０１と、装着リング９０２と、装着帯９０３とを有する装着機構を用いて、プローブ支持部１０２に対する測定者の指の位置を固定する。
【００６４】
一方、第１実施形態と同様に本体部１２は、表示部２０１と、電源スイッチ２０２と、スピーカ２０３と、ＬＥＤ素子２０４とを備えている。各構成要素の機能は第１実施形態と同様である。
【００６５】
なお、装着帯９０１及び装着帯９０３にはそれぞれ、雄型の面ファスナー（フック）と雌型の面ファスナー（ループ）とが備えられており（不図示）、装着帯９０３を装着リング９０２に通してＸ軸方向（プラス方向）に引っ張った状態で、装着帯９０３を装着帯９０１に罫着固定できるように構成されている。あるいは、装着帯９０３の表面および裏面に、それぞれ雄型の面ファスナー（フック）と雌型の面ファスナー（ループ）とが備えられており（不図示）、装着帯９０３を装着リング９０２に通してＸ軸方向（マイナス方向）に引っ張った状態で、装着帯９０３を自身に罫着固定できるように構成されてもよい。
【００６６】
以上説明したように、本実施形態では、第１実施形態とは異なり、粘着材の代わりに装着帯９０１と、装着リング９０２と、装着帯９０３とを有する装着機構を用いている。これにより、測定者は使い捨てタイプの粘着材を用いる場合に比べて資源を浪費することなく、第１実施形態で説明した体温計と同様の効果を得ることができる。
【００６７】
なお、同様に、本実施形態の構成は、第１実施形態において図３を参照して説明した構成だけでなく、図７を参照して説明した変形例についても適用することができる。
【符号の説明】
【００６８】
１０...体温計、１１...先端部、１２...本体部、１３...電極リード、１４...手袋、１５...指サック、８０...体温計、９０...体温計、９１...先端部、１０１...プローブ部、１０２...プローブ支持部、１０３...粘着材、２０１...表示部、２０２...電源スイッチ、２０３...スピーカ、２０４...ＬＥＤ素子、３０１ａ，３０１ｂ...接触部、３０２...温度検出素子、３０３...ポッティング材、３０４...断熱材、３０６...接触面、４０１...制御部、４０２...ＣＰＵ、４０３...ＲＡＭ、４０４...ＲＯＭ、４０５...増幅部、４０６...電源部、７０１ａ...接触部、７１１ａ...接触部、８０１...接触表面、８０２...接触表面、９０１...装着帯、９０２...装着リング、９０３...装着帯
【図１】
2014062792.tif 000003
【図２】
2014062792.tif 000004
【図３】
2014062792.tif 000005
【図４】
2014062792.tif 000006
【図５】
2014062792.tif 000007
【図６】
2014062792.tif 000008
【図７】
2014062792.tif 000009
【図８】
2014062792.tif 000010
【図９】
2014062792.tif 000011